(57)【要約】【課題】画像表示媒体の属性情報を管理する属性情報管理システムを提供することを目的とする。【解決手段】ホスト装置２０では、メモリ３０に各電子ペーパー１０の属性情報が各電子ペーパー固有の個体識別番号に関連づけて記憶されている。したがって、操作部２８からの入力によって所定の画像を電子ペーパー１０に表示させる場合には、属性情報に上書き禁止が書きこまれていない電子ペーパー１０に画像データを送信して表示部４０に当該画像を表示させる。このように、上書き禁止等の属性情報によって各電子ペーパー１０の画像表示を良好に制御できる。【選択図】  図６
2004251972.tif 000002
【特許請求の範囲】
【請求項１】
画像表示媒体に関する属性情報を管理する属性情報管理システムであって、
入力された画像情報に基づいて画像を表示する画像表示媒体と、
前記画像表示媒体の属性情報を記憶する記憶手段と、
前記属性情報に基づいて前記画像表示媒体における画像表示を制御する制御手段と、
を備えることを特徴とする属性情報管理システム。
【請求項２】
前記制御手段は、外部からの入力により前記属性情報を前記画像表示媒体に表示させることを特徴とする請求項１記載の属性情報管理システム。
【請求項３】
前記記憶手段は、前記属性情報として前記画像表示媒体の画像書き込み回数を記憶しており、当該画像表示媒体に対する画像書き込みを行なう度に前記画像書き込み回数を更新することを特徴とする請求項１または２記載の属性情報管理システム。
【請求項４】
前記制御手段は、前記書き込み回数が所定回数に到達したら当該画像表示媒体の交換時期である旨の警告を行なうことを特徴とする請求項３記載の属性情報管理システム。
【請求項５】
前記画像表示媒体に画像表示させて当該画像の閲覧を希望する閲覧希望者を確認する確認手段と、
前記記憶手段に記憶された前記属性情報に基づいて前記閲覧希望者が画像閲覧許可者であるか否かを判定する判定手段と、
を備え、閲覧許可者である場合には所定の画像を画像表示媒体に表示すると共に、閲覧許可者でない場合には当該画像を画像表示媒体に表示させないことを特徴とする請求項１〜４のいずれか１項記載の属性情報管理システム。
【発明の詳細な説明】
【０００１】
【発明の属する技術分野】
本発明は、電子ペーパー等の画像表示媒体の属性情報を管理する属性情報管理システムに関する。
【０００２】
【従来の技術】
近年、電気的信号によって書き換え可能に画像を表示し、画像表示状態を維持できる、いわゆる電子ペーパーが提案され、その利用方法が様々提案されている（例えば、特許文献１、２。以下、それぞれ従来例１、２という）。
【０００３】
例えば、紙と同様に可撓性を有する点、あるいは、電源ＯＦＦの状態でも画像表示状態を維持できる点から、本やバインダと同様に使用することも考えられている。
【０００４】
また、電子ペーパーは、画像情報等を電気信号で入力することによって画像を表示しているため、この電気信号に基づいて表示／非表示の切り換えを制御すること等が考えられる。例えば、従来例２では、電子ペーパーを宛先表示媒体に利用して宛先の表示を切換可能とし、転送等を容易にする構成が提案されている。
【０００５】
【特許文献１】
特開２００１−９２３８７号公報
【特許文献２】
特開２００２−１８３６２号公報
【０００６】
【発明が解決しようとする課題】
電子ペーパーは、従来例２のように表示する画像を書き換え可能であるため、様々な画像を表示することができる。しかしながら、例えば、複数の電子ペーパーを積層して構成するバインダタイプにした場合、どのページの電子ペーパーは上書き（書き換え）可能であり、どの電子ペーパーは上書き不可なのか明確でないため、保存したいと思っていた画像が上書きで消去されるおそれがあった。
【０００７】
一方、このような弊害を防ぐために、バインダタイプの全ての電子ペーパーに表示された画像の書き換えを禁止することも考えられるが、これでは電子ペーパーの最大の利点である書き換え可能なメリットがなくなってしまう。
【０００８】
また、従来例２には、画像を書き換え可能な点については記載されているものの、書き換え回数を制限する等の記載がない。すなわち、電子ペーパーは、画像の書き換えを繰り返し行なうため、耐久性に限界があり、画像の表示状態が劣化することがあった。しかしながら、従来提案されている電子ペーパーの使用方法には、書き込み回数に基づいて電子ペーパーを交換する旨の記載、あるいはどのように書き込み回数をカウントするかについて具体的構成が提案されていない。
【０００９】
そこで、本発明は上記事実を考慮し、画像表示媒体の画像表示を良好に制御できる属性情報管理システムを提供することを目的とする。
【００１０】
【課題を解決するための手段】
請求項１に記載の発明は、画像表示媒体に関する属性情報を管理する属性情報管理システムであって、入力された画像情報に基づいて画像を表示する画像表示媒体と、前記画像表示媒体の属性情報を記憶する記憶手段と、前記属性情報に基づいて前記画像表示媒体における画像表示を制御する制御手段と、を備えることを特徴とする。
【００１１】
請求項１記載の発明の作用について説明する。
【００１２】
記憶手段に記憶された属性情報に基づいて、制御手段が当該画像表示媒体の画像を表示させるか否かの制御をすることができる。例えば、上書き（書き換え）禁止の情報を属性情報として記憶手段に記憶させておけば、当該画像表示媒体に対して書き換え（画像）信号が入力されても画像の書き換えが実行されず、当該画像表示媒体の画像表示状態を維持できる。
【００１３】
請求項２に記載の発明は、請求項１記載の発明において、前記制御手段は、外部からの入力により前記属性情報を前記画像表示媒体に表示させることを特徴とする。
【００１４】
請求項２記載の発明の作用について説明する。
【００１５】
閲覧者が外部から操作する（外部から入力する）ことによって、制御手段は記憶手段に記憶されている属性情報を画像表示媒体に表示させる。したがって、閲覧者は画像表示媒体上で属性情報を確認することができる。例えば、画像の作成者、作成日時や上書き禁止（保護）等の有無等を表示させることができる。
【００１６】
なお、外部から入力されない限り、画像表示媒体に属性情報が表示されないため、通常、画像表示媒体上における画像表示が属性情報の表示によって妨げられることはない。
【００１７】
請求項３に記載の発明は、請求項１または２記載の発明において、前記記憶手段は、前記属性情報として前記画像表示媒体の画像書き込み回数を記憶しており、当該画像表示媒体に対する画像書き込みを行なう度に前記画像書き込み回数を更新することを特徴とする。
【００１８】
請求項３記載の発明の作用について説明する。
【００１９】
画像表示媒体は、通常、書き込み回数が所定回数を超えると、劣化によって画像表示状態が著しく悪化する。そこで、画像書き込み時に、記憶手段に属性情報として記憶された書き込み回数を更新しておく。この書き込み回数に基づいて画像表示媒体の画像表示状態の劣化を検知して、画像を良好に表示できなくなる前に、画像表示媒体の交換や画像表示させない等によって対処することができる。
【００２０】
請求項４に記載の発明は、請求項３記載の発明において、前記制御手段は、前記書き込み回数が所定回数に到達したら当該画像表示媒体の交換時期である旨の警告を行なうことを特徴とする。
【００２１】
請求項４記載の発明の作用について説明する。
【００２２】
制御手段は、画像表示媒体の書き込み回数が所定回数に到達したら画像表示媒体が交換時期である旨を警告する。これによって、画像を良好に表示できなくなる前に、ユーザーによって当該画像表示媒体が交換されることになる。なお、画像表示媒体全体ではなく、画像表示媒体の特定のユニット（部品）が交換時期である旨、警告する構成でも良い。
【００２３】
請求項５に記載の発明は、請求項１〜４のいずれか１項記載の発明において、前記画像表示媒体に画像表示させて当該画像の閲覧を希望する閲覧希望者を確認する確認手段と、前記記憶手段に記憶された前記属性情報に基づいて前記閲覧希望者が画像閲覧許可者であるか否かを判定する判定手段と、を備え、閲覧許可者である場合には所定の画像を画像表示媒体に表示すると共に、閲覧許可者でない場合には当該画像を画像表示媒体に表示させないことを特徴とする。
【００２４】
請求項５記載の発明の作用について説明する。
【００２５】
閲覧希望者は、確認手段によって身元が確認され、判定手段によって記憶手段に記憶された属性情報に基づいて画像閲覧許可者であるか否かを判定される。この結果、閲覧希望者が画像閲覧許可者であれば所定の画像が画像表示媒体に表示され、画像閲覧許可者でなければ画像表示媒体に当該画像が表示されない。すなわち、画像閲覧許可者以外の者が画像表示媒体を使用して画像を閲覧することができないため、セキュリティ性に優れる。
【００２６】
【発明の実施の形態】
本発明の一実施形態に係る属性情報管理システムについて、図１〜図８を参照して説明する。
【００２７】
図１には、本発明の一実施形態に係わる電子ペーパー１０の外観図を示す。本実施形態に係る電子ペーパー１０は、画像情報を書換え可能な媒体であり、電源からのパワーの供給がなくなっても画像表示状態を保持するメモリ性を有するものとする。例えば、トナーの回転、電気泳動、サーマルリライタブル、液晶及びエレクトロクロミーなどの技術を適用した電子ペーパーを適用することが可能である。なお、メモリ性がない電子ペーパーにも本発明を適用可能である。
【００２８】
図１に示すように、電子ペーパー１０は、表示領域１２を有しており、当該表示領域１２にテキスト画像を含む画像１４を表示するようになっている。
【００２９】
表示領域１２は、外枠１６が設けられており、表示領域１２は外枠１６によって保持されている。なお、表示領域１２及び外枠１６は可撓性のある材料で構成され、紙などのように取り扱うことが可能とされている。
【００３０】
外枠１６には、複数の電子ペーパー１０を重ねたときに、電気的に接続するための接続部１８を有しており、当該接続部１８を介して、表示領域１２に表示するための画像データ等を送受信することが可能とされている。
【００３１】
接続部１８は、図２に示すように、電子ペーパー１０の表裏に設けられており、複数の電子ペーパー１０が重ねられたときに、それぞれの接続部１８が接続されるようになっている。なお、接続部１８は、機械的に接続するコネクタや接点等の接触型のものを適用してもよいし、微弱な電磁誘導等を用いた非接触型のものを適用するようにしてもよい。
【００３２】
電子ペーパー１０は、表面裏面共に同一形状とされており、適宜その表裏を定めることができるようになっている。
【００３３】
また、電子ペーパー１０は、図３に示すように、ホスト装置２０によってバインダ状に保持されるようになっている。ホスト装置２０には、電子ペーパー１０の接続部１８の対応する位置に電子ペーパー１０の接続部１８と接続するための一対の接続部２２を備えており、ホスト装置２０に蓄積された画像データを電子ペーパー１０へ送信すると共に、電子ペーパー１０から画像データを受信することが可能なように構成されている。
【００３４】
ホスト装置２０は、図４、５に示すように、保持する電子ペーパー１０の枚数に応じて、伸縮する伸縮部２０Ａを有しており、保持する電子ペーパー１０の枚数が増える毎に、当該伸縮部２０Ａが伸びるようになっている。なお、図４では、１枚の電子ペーパー１０をホスト装置２０が保持する例を示し、図５では、３枚の電子ペーパー１０をホスト装置２０が保持する例を示す。
【００３５】
また、ホスト装置２０には、図３に示すように、外部から画像データを入力するための外部入力部２６、閲覧者が身分証明書であるＩＤカードを挿入するカードスロット２７、外部から後述する属性情報（例えば、画像の上書き禁止）等の書き込み等を行うためのボタンやタッチパネル等から構成される操作部２８が側面に備えられている。
【００３６】
続いて、電子ペーパー１０及びホスト装置２０の電気的な構成を図６を参照して説明する。
【００３７】
ホスト装置２０は、ＣＰＵ２４と、外部入力部２６、カードスロット２７、操作部２８と接続されたインターフェイス（Ｉ／Ｆ）２９と、メモリ３０と、及び通信インタフェース（通信Ｉ／Ｆ）３２と、これらを接続するバス３４を備えており、ＣＰＵ２４によって統括的に制御されるようになっている。
【００３８】
外部入力部２６は、パーソナルコンピュータやその他の外部の装置から電子ペーパー１０に表示するための画像データを入力するようになっており、外部入力部２６によって入力された画像データが当該メモリ３０に記憶される構成である。また、メモリ３０に蓄積された画像データは、ＣＰＵ２４によって所定の形式のデータに変換されて通信Ｉ／Ｆ３２及び接続装置２２を介して電子ペーパー１０へ出力される。
【００３９】
ホスト装置２０は、閲覧者が操作部２８から各種操作を行うことが可能とされており、例えば、操作部２８を操作することにより、メモリ３０に記憶された画像データや後述する属性データを電子ペーパー１０に表示させる等の指示をすることが可能とされている。
【００４０】
また、メモリ３０には、各電子ペーパー１０に関する属性情報が格納されている。具体的には、各電子ペーパー１０の個体識別番号に関連づけて、画像書き込み回数、最終書き込み日時、上書き禁止の有無、書き込み履歴、書き込み画像の作成者、作成日時、閲覧許可者（ＩＤ番号）、画像のサイズ等が記憶されている。
【００４１】
一方、各電子ペーパー１０は、通信Ｉ／Ｆ３６、メモリ３８、表示部４０およびこれらを接続するバス４２を含んで構成されており、ホスト装置２０の通信Ｉ／Ｆ３２より送信される画像データを接続部１８及び通信Ｉ／Ｆ３６を介して入力するようになっている。
【００４２】
通信Ｉ／Ｆ３６を介して入力された画像データは、バス４２を介して表示部４０へ入力され、表示部４０によって表示領域１２に画像が表示されるようになっている。
【００４３】
また、通信Ｉ／Ｆ３６によって表示領域１２に表示すべき画像データが抽出された残りの画像データは、通信Ｉ／Ｆ３６及び接続部１８を介して、他の電子ペーパー１０へ送信されるようになっている。
【００４４】
一方、メモリ３８は不揮発性メモリ（例えば、ＥＥＰＲＯＭ）から構成されており、各電子ペーパー固有の個体識別番号が記憶されている。また、表示部４０に表示された画像は、ホスト装置２０から電力が供給されない状態でも表示状態が維持されるようになっている。
【００４５】
続いて、このように構成されたホスト装置２０と電子ペーパー１０で構成される属性情報管理システムを用いた画像表示処理について図７のフローチャートを参照して説明する。
【００４６】
閲覧者が電子ペーパー１０に画像を表示させる場合には、ホスト装置２０のカードスロット２７にＩＤカードを挿入すると共に、操作部２８で画像表示を求める操作を行なう。この場合、表示を求める画像データが既にメモリ３０に記憶されているものでなければ、外部入力部２６から画像データを入力してメモリ３０に記憶させる。
【００４７】
一方、ホスト装置２０では、電源が投入されると、ＩＤ番号情報がＩ／Ｆ２９を介してＣＰＵ２４に入力されたか否かが判定される（ステップ１００）。ＩＤカードの挿入によりＩＤ番号情報が入力される（ステップ１００でＹ）と、メモリ３０に格納されている閲覧許可者情報（ＩＤ番号）を読み出し、両者を照合することによってＩＤカードの挿入者（閲覧者）が閲覧許可者であるか否かを判定する（ステップ１０２、１０４）。
【００４８】
閲覧者が閲覧許可者でない場合（ステップ１０４でＮ）には、画像表示処理を行なわずに処理を終了して画像を閲覧不能にする。
【００４９】
閲覧者が閲覧許可者である場合（ステップ１０４でＹ）には、どの電子ペーパーがバインダーとして接続されているのかを確認するために確認信号を生成し、通信Ｉ／Ｆ３２から電子ペーパー１０に送信する（ステップ１０６）。
【００５０】
電子ペーパー１０において、この確認信号が通信Ｉ／Ｆ３６から入力されるとメモリ３８から電子ペーパーの個体識別番号が読み出されて通信Ｉ／Ｆ３６からホスト装置２０に送信される。この個体識別番号がホスト装置２０に入力されることによってバインダにどの電子ペーパーが接続（バインド）されているかが確認される（ステップ１０８）。
【００５１】
この確認された電子ペーパーの個体識別番号に関する属性情報がメモリ３０から読み出される（ステップ１１０）。例えば、当該電子ペーパーに関する上書き禁止情報や書き込み回数等である。
【００５２】
続いて、ＣＰＵ２４は、読み出した電子ペーパーの属性情報に基づいて当該電子ペーパーに書き込み可能か否かを判定する（ステップ１１２）。具体的には、上書き禁止などの情報が含まれているか否かを判定する。これは、当該電子ペーパーの属性情報について上書き禁止情報が書き込まれている場合には、当該電子ペーパーに新たな画像を表示させることができないからである。
【００５３】
したがって、電子ペーパーに書き込みが不可能な場合（ステップ１１２でＮ）には、後述する当該電子ペーパーに対する画像信号の生成処理を行なわない。
【００５４】
一方、当該電子ペーパーに対する書き込みが可能な場合（ステップ１１２でＹ）には、当該電子ペーパーに関する属性情報の書き込み回数をインクリメントする（ステップ１１４）。
【００５５】
さらに、インクリメントされた書き込み回数が規定回数を未満か否かを判定する（ステップ１１６）。
【００５６】
ここで、書き込み回数が規定回数以上である場合（ステップ１１６でＮ）は、メモリ３０から読み出された警告画像データに当該画像が表示される電子ペーパーの個体識別番号が付された警告画像信号が生成される（ステップ１１８）。この警告画像データとは、閲覧者が表示を望む画像データではなく、閲覧者に対して画像表示能力が劣化している当該電子ペーパーの交換を促す画像のデータである。
【００５７】
これは、電子ペーパーの画像表示能力が書き換え回数の増加と共に劣化するため、書き換え回数が規定回数に到達すると所定の画像表示能力が担保できないため、該当する電子ペーパーの交換を促すものである。
【００５８】
一方、書き込み回数が規定回数未満である場合（ステップ１１６でＹ）には、閲覧者が選択した画像データに当該画像が表示される電子ペーパーの個体識別番号が付された通常画像信号が生成される（ステップ１２０）。これは、１枚分の画像データに電子ペーパーの個体識別番号を付したものである。
【００５９】
なお、閲覧者が操作部２８から属性情報表示の指示を入力している場合には、画像データの上に属性データを重ねて表示する通常画像信号を生成して送信する。
ここで、属性データとは、例えば、当該画像データの作成者や作成日時、上書き禁止の有無などが考えられる。
【００６０】
続いて、閲覧者から指示された画像枚数分の電子ペーパーに対する通常画像信号が生成されたか確認する（ステップ１２２）。全画像枚数分の通常画像信号が生成されるまで画像信号の生成を繰り返す（ステップ１２２でＮ、ステップ１１０〜１２０）。
【００６１】
このように、全画像枚数分の通常画像信号が生成されたら、通信Ｉ／Ｆ３２を介して電子ペーパー１０に対して通常画像信号および警告画像信号を出力する（ステップ１２４）。
【００６２】
一方、バインダ状とされた電子ペーパー１０では、上記画像信号のうち、該当する個体識別番号が付された画像信号のみを通信Ｉ／Ｆ３６から入力させる。通常画像信号が入力された電子ペーパー１０では、表示部４０によって表示領域１２に当該画像を表示させる。なお、属性情報表示指示があった場合には、表示された画像の端部に属性情報が表示されることになる。
【００６３】
また、警告画像信号が入力された電子ペーパー１０では、表示部４０によって電子ペーパー１０の表示領域１２に警告画像が表示される。例えば、「この電子ペーパーは交換して下さい」という警告を表示する画面が考えられる。
【００６４】
また、次のような制御によって電子ペーパーの画像表示状態の劣化を防止している。すなわち、図８に示すように、ホスト装置２０では一定時間毎にメモリ３０に記憶されている画像表示されている各電子ペーパー１０に関する属性情報から最終書き込み時間を読み出し、最終書き込み時間から読み出した現在までの経過時間を算出する（ステップ２００、２０２）。続いて、算出された経過時間が電子ペーパー１０の画像表示状態が悪化する限界時間を超えているか否かを判定する（ステップ２０４）。
【００６５】
ここで、経過時間が限界時間を超えていない場合（ステップ２０４でＮ）には、電子ペーパー１０の画像表示状態が良好であるとして、一定時間待機したのち、再び、ステップ２００、２０２の処理を行なう。
【００６６】
一方、経過時間が限界時間を超えている場合（ステップ２０４でＹ）には、メモリ３０から当該電子ペーパー１０に書き込まれた画像情報を読み出し、当該電子ペーパーの個体識別番号等の属性情報を付して電子ペーパー１０に送信する（ステップ２０６）。この結果、電子ペーパー１０では新たに送信された画像情報に基づいて再度同一画像を表示する。このように新たに画像情報に基づいて画像を更新して表示することによって、良好に表示し続けることができる。
【００６７】
このように、再書込みを行なった場合には、メモリ３０に記憶されている当該電子ペーパーに関する属性情報の最終書き込み時間を更新する（ステップ２０８）。このように、画像更新処理を一定の時間をおいて継続的に行なっている。
【００６８】
このように、ホスト装置２０と電子ペーパー１０によって構成される属性情報管理システムは、各電子ペーパーに関する属性情報を個体識別番号と関連付けて個別に管理しているため、それぞれの電子ペーパー１０の画像表示について個別に制御することができる。特に、電子ペーパー１０に個体識別番号が付され、当該個体識別番号が電子ペーパー１０のメモリ３８に格納されているため、ホスト装置２０のメモリ３０で当該電子ペーパーの属性情報を管理することが可能になる。
【００６９】
具体的には、例えば、ある電子ペーパー１０に表示された画像の保護するためには、ホスト装置２０のメモリ３０に記憶されている属性情報に上書き禁止の書き込みを行なえば、当該電子ペーパー１０に他の画像が上書きされることを防止できる。
【００７０】
また、閲覧者が操作部２８から属性情報表示を指示することによって、メモリ３０に格納されている属性情報を電子ペーパー１０の表示領域１２に表示することができる。すなわち、必要に応じて画像の作成者、作成日時、上書き禁止の有無等の情報を電子ペーパー上で確認することができる。
【００７１】
さらに、電子ペーパー１０は、書き込み回数が所定回数を超えると表示能力が劣化して画像を良好に表示できないおそれがあるが、本実施形態では電子ペーパー毎に書き込み回数を属性情報として管理しているため、書き込み回数が規定回数以上になった時点で画像を表示せず、警告画像を表示させる。すなわち、閲覧者が当該電子ペーパーの警告画像を確認することによって、当該電子ペーパーを交換させることが可能になる。すなわち、画像表示能力が劣化した電子ペーパーに画像が表示され、良好に閲覧できないという事態を回避できる
さらにまた、閲覧者が電子ペーパー１０の閲覧許可者であるか否かをＩＤ番号によって確認しているため、セキュリティー性に優れる。例えば、メモリ３０の内部に格納された部外秘の画像を、関係者以外の人間が操作部２８を操作することによって電子ペーパー１０に表示させて閲覧することができないように構成できる。
【００７２】
なお、本実施形態では、属性情報をホスト装置２０のメモリ３０に記憶させて管理する構成としたが、電子ペーパー１０のメモリ３８で管理する構成を採用することもできる。この場合には、電子ペーパー１０を他の装置で使用する場合にも書き込み回数等を正確にカウントすることができるというメリットがある。
【００７３】
また、本実施形態では、電子ペーパー１０とホスト装置２０が接続部１８、２２で接続されていたが、離間されているものにも適用できる。すなわち、無線等によって送受信可能であれば同様に構成することが可能である。
【００７４】
さらに、本実施形態では、電子ペーパー１０が交換時期である旨を当該電子ペーパー１０に画像表示としたが、閲覧者等に認識させることができればこれに限定されずいかなる警告手段でも良い。
【００７５】
また、本実施形態では、閲覧者の認証をＩＤカードのＩＤ番号によって行なったが、これに限定されるものではない。すなわち、本人であることを確認できる方式であれば、例えば指紋、声紋等を用いる方式でも良い。
【００７６】
【発明の効果】
本発明の属性情報管理システムは、属性情報に基づいて画像表示媒体の画像表示を良好に制御することができる。
【図面の簡単な説明】
【図１】本発明の一実施形態に係わる電子ペーパーの外観を示す斜視図である。
【図２】本発明の一実施形態に係わる電子ペーパーの積層状態を示す図である。
【図３】本発明の一実施形態に係わる電子ペーパーと該電子ペーパーを保持するホスト装置を示す斜視図である。
【図４】本発明の一実施形態に係わるホスト装置の電子ペーパーを１枚保持する状態を示す断面図である。
【図５】本発明の一実施形態に係わるホスト装置の電子ペーパーを３枚保持する状態を示す断面図である。
【図６】本発明の一実施形態に係わる電子ペーパーとホスト装置の電気的な構成を示すブロック図である。
【図７】本発明の一実施形態に係わるホスト装置で行われる通信の際の処理を示すフローチャートである。
【図８】本発明の一実施形態に係わるホスト装置で行われる画像更新処理を示すフローチャートである。
【符号の説明】
１０…電子ペーパー（画像表示媒体）
２０…ホスト装置
２４…ＣＰＵ（制御手段）
３０…メモリ（記憶手段）
３８…メモリ（記憶手段）
【図１】
2004251972.tif 000003
【図２】
2004251972.tif 000004
【図３】
2004251972.tif 000005
【図４】
2004251972.tif 000006
【図５】
2004251972.tif 000007
【図６】
2004251972.tif 000008
【図７】
2004251972.tif 000009
【図８】
2004251972.tif 000010